(57)【要約】  容器ジャケット部材（２４０）を製造するため、テープ状の扁平材（１１６）が、テープ軸線に対して横に連続して閉じられている形に成形され、容器ジャケット部材（２４０）が、長手継目（１２４）の溶接後に容器ジャケットのテープ（２７２）から分離される。連続して形成された容器ジャケットのテープ（２７２）の内側の容器ジャケット部材（２４０）を分離するため、ほぼ円形に形成されている支持縁部（２７８）が、提供され、容器ジャケットのテープ（２７２）の長手軸線に対する法線面内に延在し、容器ジャケットのテープ（２７２）の内側に直接当接し、少なくとも１つの切断工具（２７９）に連動する。この切断工具（２７９）は、切断時に切断位置で支持縁部に沿って回転する。その結果、切断領域が、長手軸線周りに１回転し、この時に、１つの容器ジャケット部材（２４０）が分離する。この場合、支持縁部（２７８）及び少なくとも１つの切断工具（２７９）が、切断過程の間に容器ジャケットのテープ（２７２）によって前方に押し出され、この少なくとも１つの切断工具（２７９）は、この切断過程後に支持縁部（２７２）に対して接触しない位置に移動され、容器ジャケットのテープ（２７２）の移動と逆に切断過程の前の出発位置に戻る。この切断手段は、極めて薄い扁平材の場合でも容器ジャケット部材（２４０）の迅速でかつ変形しない分離を可能にする。
2008526519.tif 000002
【特許請求の範囲】
【請求項１】
容器ジャケット部材（２４０）を製造する方法にあって、この方法の場合、テープ状の扁平材（１１６）が、テープ軸線に対して横に連続して閉じられている形に成形され、容器ジャケット部材（２４０）が、長手継目（１２４）の溶接後に容器ジャケットのテープ（２７２）から分離される方法において、連続して形成された容器ジャケットのテープ（２７２）の内側の容器ジャケット部材（２４０）を分離するため、ほぼ円形に形成されている支持縁部（２７８）が、提供され、容器ジャケットのテープ（２７２）の長手軸線に対する法線面内に延在し、容器ジャケットのテープ（２７２）の内側に直接当接し、少なくとも１つの切断工具（２７９）に連動し、この切断工具（２７９）は、切断時に切断位置で支持縁部に沿って回転し、その結果、切断領域が、長手軸線周りに１回転し、この時に、１つの容器ジャケット部材（２４０）が分離し、この場合、支持縁部（２７８）及び少なくとも１つの切断工具（２７９）が、切断過程の間に容器ジャケットのテープ（２７２）によって前方に押し出され、この少なくとも１つの切断工具（２７９）は、この切断過程後に支持縁部（２７２）に対して接触しない位置に移動され、容器ジャケットのテープ（２７２）の移動と逆に切断過程の前の出発位置に戻ることを特徴とする方法。
【請求項２】
テープ状の扁平材が、溶接のために２つの湾曲領域（１１２ｃ）を有するフラットプレスされた形に成形され、このフラットプレスされた容器ジャケットのテープ（２７２）が、溶接後に容器ジャケットのテープ（２７２）の内側に配置された拡張要素（２７３）によって支持縁部（２７８）の円形断面に成形されることを特徴とする請求項１に記載の方法。
【請求項３】
拡張要素（２７３）は、テープ状の扁平材（１１６）がまだ閉じられていない領域内で保持部材（２７５）によって保持され、この場合、拡張要素（２７３）は、フラットプレスされた容器ジャケットテープ（２７２）の両湾曲領域（１１２ｃ）内に挿入されていて、拡張要素（２７３）から保持部材（２７５）にかけて延在する２つの保持ロッド（２７４）に固定されていることを特徴とする請求項２に記載の方法。
【請求項４】
支持縁部（２７８）は、搬送装置（２７３）によって移動され、この場合、この支持縁部（２７８）は、搬送装置（２７３）を介して拡張要素（２７３）に連結されていることを特徴とする請求項２又は３に記載の方法。
【請求項５】
支持縁部は、容器ジャケットのテープ（２７２）の開口側からこの容器ジャケットテープ（２７２）の送り方向とは逆に分離すべき容器ジャケット部材内に挿入されることを特徴とする請求項１〜３のいずれか１項に記載の方法。
【請求項６】
容器ジャケット部材（２４０）は、この容器ジャケット部材（２４０）の分離後に支持縁部（２７８）から引き離され、この支持縁部( ２７８) は、別の容器ジャケット部材( ２４０) を分離するために中間時間内に既に再び前方に押し出された容器ジャケットのテープ（２７２）内に挿入されることを特徴とする請求項５に記載の方法。
【請求項７】
容器ジャケット部材（２４０）は、この容器ジャケット部材（２４０）の分離後にシリンダ状の支持体（３０１）で再び搬送され、この場合、各支持体（３０１）は、支持縁部（２７８）を有する第１前面( ３０２) を有し、ピストン部材（３０５）に取り外し可能に連結する連結装置を有する第２前面（３０３）を有し、この第１前面（３０２）とこの第２前面（３０３）との間にシリンダ状の支持面（３０４）を有することを特徴とする請求項５に記載の方法。
【請求項８】
テープ状の扁平材（１１６）をテープの軸線に対して横に連続して閉じられている形に成形する成形装置，長手継目を溶接する溶接装置（２３１）及び容器ジャケット部材（２４０）を切断する切断装置（２７７）を有する容器ジャケット部材（２４０）を製造する装置において、支持縁部（２７８）が、連続して形成された容器ジャケットのテープ（２７２）の内側に配置されていて、この支持縁部（２７８）は、ほぼ円形に形成されていて、容器ジャケットのテープ（２７２）の長手軸線に対する法線面内に延在し、容器ジャケットのテープ（２７２）の内側に直接当接し、少なくとも１つの切断工具（２７９）に連動し、この切断工具（２７９）は、切断時に切断位置で支持縁部に沿って回転可能であり、その結果、切断領域が、長手軸線周りに１回転し、この時に、容器ジャケットのテープ（２７２）の一部が分離し、この場合、支持縁部（２７８）及び少なくとも１つの切断工具（２７９）が、切断過程の間に容器ジャケットのテープ（２７２）によって前方に押し出可能であり、この少なくとも１つの切断工具（２７９）は、この切断過程後に接触しない位置に移動され、容器ジャケットのテープ（２７２）の移動と逆に切断過程の前の出発位置に戻り移動可能であることを特徴とする装置。
【請求項９】
成形装置は、テープ状の扁平材を２つの湾曲領域（１１２ｃ）を有するフラットプレスされた形に成形し、拡張要素（２７３）が、容器ジャケットのテープ  （２７２）の内側に配置されていて、この拡張要素（２７３）は、溶接後にフラットプレスされた容器ジャケットのテープ（２７２）を支持縁部（２７８）の円形の横断面に成形することを特徴とする請求項８に記載の装置。
【請求項１０】
拡張要素（２７３）は、テープ状の扁平材（１１６）がまだ閉じられていない領域内で保持部材（２７５）によって保持され、この場合、拡張要素（２７３）は、フラットプレスされた容器ジャケットテープ（２７２）の両湾曲領域（１１２ｃ）内に挿入されていて、拡張要素（２７３）から保持部材（２７５）にかけて延在する２つの保持ロッド（２７４）に固定されていることを特徴とする請求項９に記載の装置。
【請求項１１】
支持縁部（２７８）は、搬送装置（２７３）を介して拡張要素（２７３）に連結されていることを特徴とする請求項９又は１０に記載の装置。
【請求項１２】
ピストン部材（３０５）は、支持縁部（２７８）を容器ジャケットのテープ  （２７２）の開口側からこの容器ジャケットのテープ（２７２）の送り方向の逆に分離すべき容器ジャケット部材内に挿入可能にすることを特徴とする請求項８又は９に記載の装置。
【請求項１３】
支持縁部（２７８）は、シリンダ状の支持体（３０１）に形成されていて、この場合、各支持体（３０１）は、支持縁部（２７８）を有する第１前面（３０２）を有し、ピストン部材（３０５）に取り外し可能に連結する連結要素を有する第２前面（３０３）を有し、この第１前面（３０２）とこの第２前面（３０３）との間にシリンダ状の支持面（３０４）を有することを特徴とする請求項１２に記載の装置。
【請求項１４】
交換装置（３０９）が、切断装置（２７７）に割り当てられていて、空の支持体（３０１）が、移動後に切断装置（２７７）の前方の軸線方向の中心にあるように、この交換装置（３０９）は、切断装置（２７７）の前方の軸線方向の中心にある支持体（３０１）及び空の支持体（３０１）を移動可能にすることを特徴とする請求項１３に記載の方法。
【発明の詳細な説明】
【技術分野】
【０００１】
本発明は、請求項１の上位概念に記載の方法及び請求項８の上位概念に記載の装置に関する。
【背景技術】
【０００２】
円周方向に沿って閉じられている容器ジャケットを有する金属部材を製造する場合、扁平なテープ材料が、閉じられている形に連続して変形され得る。このため、両側縁部が、一緒にされて溶接継目によって互いに接合される。希望する容器ジャケット部材が、作られる管材から分離される。これらの容器ジャケット部材は、管材として使用され得るか又は希望する部材に再加工され得る。
【０００３】
鋼板製の容器が広く普及している。これらの容器の場合、ジャケットが、長手溶接継目を有する。底及び／又は上の閉鎖部材が、容器ジャケットに固定されている。容器本体の実施形が、国際特許出願公開第 2005/000498号明細書から公知である。これらの実施形の場合、容器ジャケットが、扁平なテープ材料から製造される。底及び上の閉鎖部材が、レーザー溶接を用いて容器ジャケットに接合される。
【０００４】
容器本体は、全ての容器、特にエアゾール容器，飲料容器，チューブ及び容器状の中間製品を意味する。
【０００５】
公知の実施形の場合、容器の長手継目が、接合されている継目として形成される。容器ジャケット部材が、この容器の長手継目によって閉ループ状にされる。この場合、互いに接合すべき横の両縁領域が、各ガイド面上に形成される。この場合、これらのガイド面は、重なり合って整合されていて、長手継目に沿って延在する。薄い縁領域の終端面も精確に重なり合って接合するように、両縁領域が、ガイド面に対して保持される。ガイド面上の少なくとも１つの縁領域が、他方の縁領域上のストッパーに向かって移動することによって、両縁領域の終端面の精確な同時の接合が保証され得る。溶接過程が、対向するストッパーに沿って実施され得る。
【０００６】
加工装置のガイド面を容器ジャケット部材の内側に配置することを省略するため、特に容器ジャケット部材の内側の部分面が、ガイド部分面として使用される。したがって長手継目が、フラットプレスされた容器ジャケットに対して溶接される。溶接すべき継目の領域内では、接合すべき縁領域から外側に形成されている凹部又はジャケット部材から外側に存在する領域が、両ガイド部分面間に形成されている。その結果、ガイド部分面による接合が、溶接過程時に避けられる。互いに密接する平らな部分面が、湾曲領域によって互いに接合されている。
【０００７】
フラットプレスされた容器ジャケット部材が、放射状に広げられる時に、亀裂又は望まないビードが容器ジャケット部材に発生しないように、フラットプレスされた状態で、小さい曲率半径であるももの折り目なしの形が選択される。容器ジャケット部材は、両湾曲領域間にほぼ平らにプレスされている。その結果、終端面の同時のプレスが、少なくとも１つの湾曲領域内の適切なプレスによって溶接時に簡単に保証され得る。
【０００８】
継目を形成するため、いろいろな溶接方法が使用され得る。特に継目は、レーザー溶接を用いて製造される。したがって扁平材は、レーザー溶接可能な少なくとも１つの金属層を有する。スチール板が、多くの場合に使用される。これらのスチール板は、良好な変形特性を有し、希望する厚さで有利に使用され得る。
【０００９】
容器ジャケット部材をテープ材から切断するため、場合によってはのこぎり法(Saegeverfahren)が使用される。この場合、切断板又はのこぎりテープのような切断手段が、存在する管によるのこぎり過程の間に使用される。管の一部に切断した後に、切断手段は元の位置に戻る。片材が短いためつまりジャケット部材の高さが短いため、これらの公知の切断装置は欠点を有する。何故なら、これらの切断装置は迅速に切断され元に戻され得ないからである。これらの公知の切断装置のもう１つの欠点は、特に薄い厚さの管を切断する場合に変形及び締め付けの危険がある点にある。これらの公知の切断方法の場合、追加の清掃ステップを必要にするのこぎりの切り屑が発生するか及び／又はさらなる容器製造ステップで問題を起こしうる。
【００１０】
扁平なテープ材料の予め切断された湾曲領域を有するフラットプレスされた容器ジャケットのテープ材料が、切断縁部に連動できる支持部上で搬送される場合、速くてかつ綺麗な切断が、国際特許出願公開第2005/000498 号明細書及びドイツ連邦共和国特許第1 452 556 号明細書にしたがって保証される。管部材の希望する長さが押し出された直後に、切断縁部が、管の互いに当接している側壁領域を切断して移動する。この切断解決手段の欠点は、長手継目の溶接前に予め切断し、この溶接後に予め切断された断面に精確に整合して切断する必要がある点にある。
【特許文献１】国際特許出願公開第2005/000498 号明細書
【特許文献２】ドイツ連邦共和国特許第1 452 556 号明細書
【発明の開示】
【発明が解決しようとする課題】
【００１１】
本発明の課題は、迅速でかつ変形しない分離が予めの切断なしに実施され得る手段を提供することにある。
【課題を解決するための手段】
【００１２】
この課題は、請求項１又は８の特徴によって解決される。好適な実施形又は代わりの実施形が、従属請求項に記載されている。
【００１３】
長手溶接継目によって連続して製造された壁材から容器ジャケット部材を切断する別の切断過程を研究した場合、容器の製造に関係なく新規で発明性のある解決手段が発見された。この解決手段の場合、支持縁部が、連続して形成された容器ジャケット部材のテープ又は壁材の内面に形成される。支持縁部は、ほぼ円形に形成されていて、壁材の長手軸線に対する法線面内に延在し、壁材の内面に直接密接する。少なくとも１つの切断工具、特に１つの切断リングが、この支持縁部に敷設されている。この工具は、切断時に支持縁部に沿って回転する。その結果、少なくとも１つの切断領域が、壁材の周りに１回回転し、このときに壁材の一部を切断する。支持縁部及び切断リング又は切断要素が、切断過程の間に壁材と共に移動する。切断リング又は切断要素は、切断過程後に支持縁部に対する接触しない中心位置に移動し、壁材の移動に対する長手軸線の方向に切断過程前の初期位置に戻り、引き続きさらなる切断過程を実施する。切断リングが、この切断過程及び戻り過程に対して連続して回転できる。この切断リングは、正しい周期で中心位置から偏心位置に位置を変える必要がある。
【００１４】
この新規な切断手段の場合、テープ材に予め形成される切込みが省略され得る。極めて薄い扁平材の場合でも、この切断手段は、迅速でかつ変形しない分離を可能にする。
【００１５】
壁材が、長手継目の溶接時にフラットプレスされている場合、拡張要素が、溶接装置と支持縁部との間で壁材の内部に配置する必要がある。この拡張要素は、フラットプレスされた壁材を支持縁部の円形の断面に成形する。拡張要素は、２つの保持ロッドに固定され得る。これらの保持ロッドは、フラットプレスされた壁材の横の湾曲領域内に挿入されている。これらの両保持ロッドは、拡張要素から壁材がまだ閉じられていない領域内まで延在する。したがってこれらの保持ロッドは、壁材の外側の保持部材に連結可能である。支持縁部は、長手方向に移動可能に例えば拡張要素に支承されている。この場合、支持縁部の移動が、切断リングの長手移動に連動する。
【００１６】
支持縁部は、拡張要素に面しない側面によっても保持され得る。このため、この支持縁部は、開口側からジャケットテープの送り方向とは逆に分離すべき容器ジャケット部材内に挿入する必要がある。この切断過程の場合、支持縁部は、切断工具の位置によって調整された位置で壁材の内側に当接する。切断縁部が、挿入時に既に壁材に当接する必要がないように、この切断縁部は、例えば半径方向に調整可能な拡張部材によって半径方向に拡張可能に構成され得る。これらの拡張部材はそれぞれ、支持縁部の一部を形成する。その周囲が、挿入のために小さくなり、切断のために大きくなる。容器ジャケット部材の分離後に、その周囲が再び小さくされ得る。そしてこの容器ジャケット部材が、存在する容器ジャケットのテープに対して横につまり垂直に移動して支持縁部から引き離され得る。次いでこの支持縁部は、その次の容器ジャケット部材を分離するために中間時間内に既に再び前方に押し出されたリング状の容器ジャケットのテープ内に挿入される。
【００１７】
支持部材は、管部材を切断する装置のピストン部材によって移動され得る。１つの管部材の切断の間に生じる管の長さが、分離すべき部分の長さより大きくないように、このピストン部材は、支持縁部を迅速に移動させる必要がある。場合によっては、少なくとも２つの支持縁部が設けられる。その結果、第１支持縁部によって分離され１つの容器ジャケット部材が送り出される間に、第２支持縁部が既に再び挿入され得る。その結果、切断サイクルがより短くなる。容器ジャケット部材だけがさらに先へ渡される場合、これらの支持縁部は、ピストン部材の一部である。存在する管に整合されたピストン部材つまり支持縁部は、ピストン部材を管の軸線に対して横方向に移動させることによって又は管の軸線に対して横方向の回転軸線周りにピストン部材を回転させることによって交換できる。２つのピストン部材間のこの交換は、逆方向の２つの移動によって実施され得る。回転手段の場合、回転は、常に同じ回転方向に実施してもよい。
【００１８】
容器ジャケット部材が、引き続く加工時にマンドレル(Dorn)に保持される場合、容器ジャケット部材が、分離時に既にシリンダ状の支持体に到達していることが有益である。容器ジャケット部材は、この支持体と共にさらなる加工部に供給される。この分離ステップに対しては、この支持体は、支持縁部を有する必要がある。さらにこれらの支持体は、ピストン部材に対して取り外し可能な連結を可能にする。容器ジャケット部材の搬送及び加工が、これらの支持体によって明らかに簡単になる。これらの支持体は、第１前面に支持縁部を有し、第２前面にピストン部材に取り外し可能に連結する連結装置を有し、この第１前面と第２前面との間に１つの容器ジャケット部材を支持する支持面を有する。磁気材料又は磁気材料でないものの磁化可能な材料が、支持体３０１の第２前面３０３に配置されている場合、ピストン部材及び搬送装置に対する保持は、電磁石によって実現され得る。
【００１９】
容器ジャケット部材の前面が、分離によって影響を受けず、この分離が迅速に実施されるので、説明した手段は、容器本体の製造時に特に好ましい。容器の場合、特に薄いテープ材が使用される。この薄いテープ材は、使用される支持縁部によって切断工具に起因した望まない変形から保護されている。前面の追加の加工が省略され得る。前面と容器の底，蓋又は栓部材のような閉鎖要素との接合が問題なく可能であり、少ない経費で美感に訴える容器本体を提供する。毎分300 〜600 個の容器の生産量が、容器の製造の場合に一般的であるので、説明した方法によって保証される容器ジャケットの迅速な分離は非常に重要である。
【００２０】
テープ材料が、装飾フィルム及び／又は内側フィルムを有する場合、このフィルムは、容器ジャケット部材の分離時に容器ジャケットの安定性に制限されている部材と共に直接分離され得る。これによって、薄いフィルム片を別に分離することが省略され得る。
【００２１】
図は、本発明の手段を２つの実施の形態に基づいて説明する。
【発明を実施するための最良の形態】
【００２２】
図１〜４は、容器の製造に関係なく新規でかつ創造的である容器ジャケット部材２４０を分離する手段を記す。
【００２３】
図１は、どのようにして拡張領域２７１内のフラットプレスされた容器ジャケット部材のテープ２７０が、容器ジャケット部材のテープの内側の拡張部材２７３によって円形の横断面の容器ジャケット部材２７２に成形されるかを概略的に示す。容器ジャケット部材２４０が、円形の容器ジャケット部材のテープ２７２から切断される。
【００２４】
拡張部材２７３が、保持ロッド２７４によって保持される。これらの保持ロッド２７４は、フラットプレスされた容器ジャケット部材のテープ２７０の湾曲領域１１２ｃ内に挿入されていて、図２にしたがって拡張部材２７３から保持部材２７５にかけてテープ状の扁平材１１６がまだ閉ループにされていない領域内に延在する。場合によっては密閉ビード２６６が、扁平材１１６に沿って配置されている。この扁平材は、示さなかったローラによってフラットプレスされた閉ループ状の形に成形され、レーザー供給部１３０′によって誘導されたレーザービームで溶接される。引き続き、場合によっては密閉ビード２６６が、溶融過程によって長手継目１２４の内面に被覆される。このとき、容器ジャケット部材のテープが、拡張領域２７１内に到達し、最終的に円状の横断面を保持する。
【００２５】
図４は、容器ジャケット部材２４０を切断する装置を示す。送り要素２７６が、容器ジャケット部材のテープ、特に円形の容器ジャケット部材２７２に摩擦で密接し、容器ジャケット部材のテープを拡張領域２７１によって移動させる。切断装置２７７は、支持縁部２７８を有する。この支持縁部２７８は、ほぼ円形に形成されていて、容器ジャケット部材のテープの長手軸線に対する法線面内に延在し、容器ジャケット部材のテープに直接密接し、少なくとも１つの切断工具２７９、特に切断リングと連動する。切断リング２７９は、支持縁部２７８に対して偏心して回転する。その結果、切断領域が、長手軸線周りに１回転し、このときに容器ジャケット部材のテープ２７２の一部が分離する。支持縁部２７８及び切断リング２７９は、切断過程の間に容器ジャケット部材のテープによって前方へ押し出される。切断リング２７９は、切断過程後に支持縁部２７８に対する同心円位置に移動され、支持縁部２７８と共に容器ジャケット部材のテープの移動に対して切断過程前の出口位置に戻される。
【００２６】
支持縁部２７８は、拡張部材２７３に沿って支承されている。前方移動及び後方移動を制御するため、例えばピストン・シリンダ装置２８０及び場合によっては戻りばね２８１が、拡張部材２７３と支持縁部との間に配置される。ピストン・シリンダ装置２８０は、加圧液によって操作される。この場合、さらに駆動装置２８０ｂ（図２）が、供給管２８０ａを通じてピストン・シリンダ装置２８０に接続されている。従来の技術から公知のその他の調整装置、特に電気式に駆動される調整装置を使用してもよいことが分かる。切断リング２７９は、回転部材２８２に対して軸線方向に可動に支承されている。回転部材２８２が、同様に回転軸受２８３によって回転可能に支持管２８４に沿って配置されている。この支持管２８４は、軸線方向に保持板２８５から突出している。例えば加圧液用の回転誘導部２８６が、保持板２８５と回転部材２８２との間に設けられている。加圧液は、駆動装置２８７から供給管２８８，回転誘導部２８６及びリング経路２８２ａを通じてピストン・シリンダ装置２８９に送られる。これらのピストン・シリンダ装置は、回転部材２８２に固定されていて、切断リング２７９を長手軸線の方向に移動可能にする。切断リング２７９の制御された前進移動及び後進移動に対して、戻りばね２９０が、ピストン・シリンダ装置２８９に１つずつ割り当てられる。従来の技術から公知のその他の調整装置、特に電気式に駆動される調整装置を使用してもよいことが分かる。
【００２７】
切断過程に対しては、切断リング２７９は、回転状態にある必要があり、回転部材２８２に対して偏心した位置に移動される。回転駆動部２９１が、駆動伝達部２９２、特にローラ面を進行するベルトを通じて回転部材２８２を回転状態に維持する。切断リング２７９の中心位置から偏心位置への切り替えが、例えば２つの調整装置２９３，２９４によって実施される。第１調整装置２９３が、切断装置２７９を偏心位置つまり切断位置に押圧する。第２調整装置２９４が、切断リング２７９を中心位置に押圧する。この中心位置の場合、切断リング２７９が、容器ジャケット部材のテープ２７２に接触しない。切断装置２７９が、これらの両位置内で可動であるように、切断リング２７９は、長手軸線に対して横方向の運動を可能にする直線誘導部２９５を介してピストン・シリンダ装置２８９に固定される。
【００２８】
切断リング２７９を送る間に、つまり回転部材２８２から離れて移動させる間に、切断リング２７９を偏心位置にある必要がある。戻り運動の間及び長手方向の間違った運動時には、切断リング２７９はほぼ中心ある必要がある。駆動装置２８７は、送り運動の間に加圧された加圧液をピストン・シリンダ装置２８９に送る。第１制御弁２９６は、リング経路２８２ａに連結されていて、第１調整シリンダ２９７が増圧時に切断リング２７９を第１操作面２９８によって切断位置に移動させるように構成されている。戻り運動の間及び長手方向の間違った運動時には、圧力が、リング経路２８２ａ内で低下するか又は一定に保持され、第２調整シリンダ２９８ａが、張力（圧力アキュムレータ，ばね）に基づいて切断リング２７９を第２操作面２９８ａによって中心位置に押圧する範囲内で、第１制御弁２９６が、第１調整シリンダ２９７内の操作圧力を低下させる。
【００２９】
液体供給部を有するただ１つの駆動装置を、第１調整シリンダ２９８用に設けてもよいことが分かる。切断リング２７９の代わりに、１つの切断工具又は多数の切断工具を設けてもよい。この場合、切断工具は、切断リング２７９と同様に切断位置及び接触しない位置に移動される。多数の切断工具が、円周に沿って分散して配置されている場合、容器ジャケット部材２４０が、回転部材２８２の１回転未満の回転で切断され得る。
【００３０】
切断の間の送り長さは、容器ジャケット部材の製造の送り速度及び回転部材２８２の回転数に依存する。切断リング２７９，1m/secの送り速度及び毎分3000回転の回転数による切断の場合、送り長さは、20mmである。回転数を２倍にすることによって又は２つの同様に切断する工具を使用することによって、送り長さは半分にできる。
【００３１】
説明した切断装置は、一般に薄いジャケット部材又は管の一部、特に容器ジャケット部材を切断するために使用され得る。長手溶接継目が、長手軸線に対して横方向に成形された円い断面の扁平材に対して形成される場合、円い形への引き伸ばしは省略され得る。ジャケット部材を製造する本発明の新規な装置は、テープ状の扁平材１１６をテープの軸線に対して横方向に連続して閉ループ上の形に成形する成形装置，長手継目を溶接する溶接装置２３１及び容器ジャケット部材１１２を切断する図４の切断装置を有する。成形装置によって保持されている支持縁部２７８が、連続して形成された容器ジャケット部材のテープの内側に配置されている。この支持縁部２７８は、ほぼ円く形成されていて、容器ジャケット部材のテープの長手軸線に対する法線面内に延在し、容器ジャケット部材のテープ２７２の内面に直接密接し、少なくとも１つの切断工具２７９と連動する。切断工具２７９は、支持縁部２７８に対する切断位置で切断するために回転可能である。その結果、切断領域が、長手軸線周りに１回転し、このときに容器ジャケット部材のテープ２７２の一部を切断する。支持縁部２７８及び少なくとも１つの切断工具２７９が、容器ジャケット部材のテープと共に切断過程の間に前方へ移動可能である。少なくとも１つの切断工具２７９が、切断過程後に接触しない位置に移動可能であり、支持縁部２７８と共に容器ジャケット部材のテープの移動に対して切断過程前の出口位置に戻される。切断リングの代わりにその他の切断工具を使用してもよいことが分かる。
【００３２】
図５は、容器ジャケット部材２４０を分離する第２装置を示す。送り要素２７６及び切断工具２７９が、図４の実施形の場合とほぼ同じに形成されている。回転駆動部２９１及び駆動伝達部２９２の代わりに、リング状の回転モータ３９１が、回転部材２８２の周りに直接配置される。回転モータ３９１の外周面が、例えば保持スリーブ３８５又はその他の保持部材によって保持される。回転モータ３９１の半径方向内側の連結面が、回転部材２８２に一体的に連結されている。回転モータ３９１が投入されている時に、回転部材２８２が、希望する回転数で回転する。高い回転数が希望されるため、回転モータ３９１は、特に電気モータとして構成される。
【００３３】
回転モータ３９１が、その外部の固定部材に対して巻線を有し、その回転部材２８２に対して永久磁石を有する場合、この回転モータ３９１は、固有の回転軸受を必要とせず、電気端子が、回転給電線を必要としない。回転軸受は、回転軸受２８３によって保証され、回転モータ３９１は、回転部材２８２及び保持スリーブ３８５に直接接して構成されている。永久磁石が保持スリーブ３８５に対して配置され、巻線が回転部材に対して配置されてもよいことがこれから分かる。この場合、巻線は、回転給電線を通じて給電される。すなわち、あらゆる種類の電気モータが、保持スリーブ３８５と回転部材２８２との間に構成され得る。
【００３４】
切断工具２７９の中心位置から離心位置への変更は、調整装置２９３，２９４によって実現される。切断工具２７９は、図４の実施形と同様に容器ジャケット部材のテープ２７２の長手軸線の方向に移動する。その他の操作手段が、これらの両移動に対して使用され得ることがこれから分かる。
【００３５】
切断リング２７９が、切断時に支持縁部２７８と連動する。図５の実施形では、支持縁部２７８は、シリンダ状の支持体３０１に対して形成されている。支持体３０１は、第１前面３０２及び第２前面３０３を有し、これらの前面間に容器ジャケット部材２４０を支持するために形成されているシリンダ状の支持面３０４を有する。支持面３０４が、弾性材料から形成されている場合、容器ジャケット部材２４０が、小さい摩擦力によって支持体３０１に保持される。この保持力の代わりに、容器ジャケット部材２４０が、支持体３０１によって押され、この支持体３０１から引き離されてもよい。場合によっては、支持面３０４は、半径方向に僅かに移動可能である。その結果、容器ジャケット部材の保持及び解放が、この移動を操作することによって制御可能である。
【００３６】
支持体３０１は、切断過程前に拘束されていない側から容器ジャケット部材のテープ２７２内に押し込まれる。この当接及び押し込みは、第１前面３０２の狭窄部３０２ａによって容易になる。支持体３０１の支持縁部２７８が、狭窄部３０２ａ支持面３０４との間に形成されている。この場合、切断縁部２７９が、切断過程時に支持縁部２７８の下の第２前面３０３に係合する。この支持縁部は、内側から容器ジャケット部材のテープ２７２に対して嵌合する。場合によっては、支持縁部２７８の周囲が僅かに上昇して小さくなる。その結果、一方では嵌合が改良され、他方では挿入が容易になる。
【００３７】
支持縁部２７８及び切断リング２７９が、切断過程の間に容器ジャケット部材のテープ２７２によって前方へ押し出される。切断リング２７９は、切断過程後に支持縁部２７８に対する同心位置に移動し、容器ジャケット部材のテープ２７２の逆方向に切断過程前の出発位置に戻る。支持体３０１は、分離された容器ジャケット部材２４０によって容器ジャケット部材のテープ２７２から離れるように移動する。このため、操作ピストン３０５が、第２前面３０３に一体的に接合されている。容器ジャケット部材２４０を伴う支持体３０１が、操作ピストン３０５によって別の搬送部に受け渡される。引き続き、空の支持体３０５が、操作ピストン３０５によって容器ジャケット部材のテープ２７２内に再び挿入される。
【００３８】
操作ピストン３０５は、図示しなかった操作装置の一部である。この操作装置は、操作ピストン３０５の往復運動を少なくとも制御し、支持体３０１との脱着を保証する必要がある。操作ピストン３０５と支持体３０１の第２前面との間の取り外し可能な連結は、機械式に、負圧及び正圧によって又は電磁式に実施できる。電磁式の連結に対しては、磁気材料又はそれ自体磁気材料でないものの磁化可能な材料が、支持体３０１の第２前面に対して配置され、電磁石が、操作ピストンに対して配置される。磁気材料又は磁化可能な材料を有する第２前面には、支持体３０１が磁石式コンベヤ上で搬送され得、その後の加工ステーションによって磁気的に保持され得るという利点がある。支持体３０１は、パレットの機能を有する。
【００３９】
支持体３０１を正確に位置決めするため、第１前面３０２が、拡張部材２７３の前方のストッパー面２７３ａに当接され得る。この出発位置では、支持体３０１の支持縁部２７８が、切断リング２７９の係合位置に合わせられている特定の位置にある。切断リング２７９は、切断係合時に場合によっては能動的な操作なしに容器ジャケット部材のテープ２７２の送りと連動する。接触が、支持縁部２７８と容器ジャケット部材のテープ２７２との間の切断時に存在するので、支持体が、場合によっては摩擦力によって容器ジャケット部材のテープ２７２の送りと連動して移動する。この受動的な連動が十分でない場合は、支持体３０１が、操作ピストン３０５によって希望する送りで移動する。
【００４０】
支持縁部２７８を１つずつ有するこれらの支持体３０１を使用することによって、拡張部材２７３によって支持されかつ移動する支持縁部２７８が省略され得る。しかも容器ジャケット部材２４０が、支持体３０１上に既に存在する。その結果、さらなる加工が著しく容易になる。これらの容器ジャケット部材２４０は、その後の加工ステーション内の支持体３０１上で加工され得るか又は加工要素に受け渡され得る。
【００４１】
図６は、シリンダ状の支持体３０１を連続して存在する管つまり容器ジャケット部材のテープ２７２に送ることを概略的に示す。複数の管部材つまり容器ジャケット部材２４０が、切断工具２７９によってこの容器ジャケット部材のテープ２７２から分離される。支持体３０１が、分離された容器ジャケット部材２４０と共に示された時点に対して別の送り位置に到達されている。次いで操作ピストン３０５が、支持体３０１から分離される。そして後続する中空な支持体３０１が、容器ジャケット部材のテープ２７２の直前の軸線方向に沿って存在するまで、載置領域３０７を有する搬送面３０６が移動する。
【００４２】
引き続き操作ピストン３０５が、中空な支持体３０１を前方に向かって移動する容器ジャケット部材２７２の開口端部内に押す。支持縁部２７８が、切断工具２７９の近くの位置に到達した直後に、この切断工具が切断位置に来る。容器ジャケット部材２４０が、切断工具２７９の回転後に分離されていて、支持体３０１が、容器ジャケット部材２４０と共に搬送面３０６上に戻される。
【００４３】
より多くの支持体３０１が「ストップ・アンド・ゴー」モードで搬送されることは、高い搬送量の場合は適切でない。何故なら、短い送り時間を得るためには、高い正の加速度及び負の加速度が必要になるからである。全ての支持体３０１及び搬送面３０６の重い質量に起因して、これらの加速度は、非常に大きい駆動力だけによって実現可能である。
【００４４】
図７は、時間がずらされている表示に基づく容器ジャケット部材の分離を示す。１つの容器ジャケット部材当たりの生産時間が、希望する搬送量から決まる。これらの生産シーケンスが、この生産時間の間に実施される必要がある。
【００４５】
位置ａは、支持体３０１がその第１前面３０２によって拡張要素２７３の前方のストッパー面２７３ａに当接するこの支持体３０１を示す。容器ジャケット部材２７２の切断工具２７９から突き出している部分が、希望する容器の長さｌを有する場合、連続回転している切断工具が、切断位置に来る。この連続回転している切断工具が、この切断位置で支持体３０１の支持縁部２７８に連動する。毎分6000回転の切断工具の回転数の場合、この切断過程は、0.01秒だけを要する。切断線，切断工具２７９及び支持体３０１が、この切断時間内に容器ジャケット部材のテープ２７２の軸線に沿って第１行程ｈ１だけ移動する。その結果、位置ｂが得られる。
【００４６】
さらに、例えば0.015sの戻り時間が、切断工具２７９の戻りに対して必要になる。容器ジャケット部材２７２が、この時間内に第２行程ｈ２だけ移動する。
【００４７】
位置ｃが、容器ジャケット部材２４０の分離後にこの容器ジャケット部材２４０を有する支持体３０１を迅速に引き戻すことによって得られる。この搭載している支持体３０１を引き渡すため、この支持体３０１が、例えば操作ピストン３０５によって切断工具２７９に対して距離ｄまで移動される。この後退のための時間は、例えば0.03s である。容器ジャケット部材２７２の開口端部が、この後退時間の間に第３行程h3だけ既に移動している。
【００４８】
位置ｄ及びｅは、支持体の交換を示す。この場合、操作ピストン３０５が、搭載している支持体３０１から外され、この搭載している支持体３０１が、容器ジャケット部材のテープ３０１の軸線に対して横方向に移動し、そして空の支持体３０１が、この軸線上に位置決めされる。例えば0.033sの時間がこの支持体の交換のために提供される。容器ジャケット部材２７２が、この交換時間の間に第４行程h4だけ移動する。
【００４９】
位置ｆは、約0.03s が支持体３０１の挿入のために必要になり、約0.015sが切断工具２７９の移動のために必要になり、容器ジャケット部材のテープ２７２がこの時間内に第５行程h5だけ移動していることを示す。容器ジャケット部材２４０が、切断過程のこの最初の時点に対して希望する長さｌを有する。
【００５０】
この場合に実施される質量加速度が可能な限り小さいように、支持体の交換が特に開始されなければならない。それ故に、支持体を交換する場合、２つの支持体３０１だけが移動されなければならない。このため、支持体が可能な限り小さい質量を有することが適切である。図８及び９は、連続搬送装置３０８、例えば支持体３０１用の収容凹部を有するベルトコンベヤ及びこの搬送装置３０８に連結している交換装置３０９によってシリンダ状の支持体３０１を搬送する実施形を示す。
【００５１】
図８は、支持体を交換する直前の状況を示す。この場合、搭載している支持体３０１が、切断装置２７７の中心の前方に軸線方向に沿ってあり、搬送装置３０８から交換装置３０９上に来た空の支持体３０１が、この搭載している支持体３０１の左側にある。交換装置３０９が、スライド３１０を有する。このスライド３１０は、ガイド３１１によって誘導され、駆動ユニット３１２によって作動される。スライド３１０上の搬送すべき支持体３０１が、移動時に右に向かって運搬されるように、運搬装置３１３が、搬送すべき支持体３０１の少なくとも両側で運搬位置に来る。
【００５２】
搬送すべき支持体が、容器ジャケット部材のテープ２７２の軸線上に位置決めされているように、搭載している支持体３０１及び供給すべき支持体３０１が、速い移動によってシフトする。したがって、この空の支持体３０１は加速されて制動される。搭載している支持体３０１は、示された実施形の運搬装置３１３によって加速だけされる。この搭載している支持体３０１は、別のガイド３１４上で後に制動される。図９は、支持体を交換した直後の状況を示す。この支持体の交換は、非常に迅速に実施されるので、連続する搬送装置３０８上のその次の支持体３０１は、ほんの少しだけ右に向かってシフトする。
【００５３】
取り付けられている運搬装置３１３を有するスライド３１０が、切断過程の間に駆動ユニット３１２によって左の初期位置に移動し、その次の支持体３０１が、スライド上の位置に連続して移動する。このその次の支持体３０１は、図８中に示されたように支持体の交換の開始時にスライド上の配置された運搬装置３１３間にある。
【図面の簡単な説明】
【００５４】
【図１】容器ジャケット部材の引き伸ばし及び分離時の容器ジャケット部材のテープの投影図である。
【図２】接合，溶接及び引き伸ばし時の容器ジャケット部材のテープの前面図である。
【図３】容器ジャケット部材のテープを引き伸ばす引き伸ばし要素の投影図である。
【図４】容器ジャケット部材を分離する切断装置の縦断面図である。
【図５】容器ジャケット部材を分離する切断装置の縦断面図である。
【図６】シリンダ状の支持体の搬送の概略図である。
【図７】シリンダ状の支持体を使用した切断過程の概略図である。
【図８】シリンダ状の支持体の概略図である。
【図９】シリンダ状の支持体の概略図である。
【符号の説明】
【００５５】
１１２ｃ  湾曲領域
２４０    容器ジャケット部材
２６６    密閉ビード
２７０    容器ジャケット部材のテープ
２７１    拡張領域
２７２    容器ジャケット部材のテープ
２７３    拡張要素
２７３ａ  ストッパー面
２７４    保持ロッド
２７５    保持部材
２７６    送り要素
２７７    切断装置
２７８    支持縁部
２７９    切断工具，切断リング
２８０ａ  供給管
２８０ｂ  駆動装置
２８１    戻りばね
２８２    回転部材
２８２ａ  リング経路
２８３    回転軸受
２８４    支持管
２８５    保持板
２８６    回転誘導部
２８７    駆動装置
２８８    供給管
２８９    ピストン・シリンダ装置
２９０    戻りばね
２９１    回転駆動部
２９２    駆動伝達部
２９３    調整装置
２９４    調整装置
２９５    直線誘導部
２９７    調整シリンダ
２９８    操作面
２９８ａ  第２操作面
３０１    支持体
３０２    第１前面
３０２ａ  狭窄部
３０３    第２前面
３０４    支持面
３０５    操作ピストン
３０６    搬送面
３０７    載置領域
３０８    搬送装置
３０９    交換装置
３１０    スライド
３１１    ガイド
３１２    駆動ユニット
３１３    運搬装置
３１４    別のガイド
３８５    保持スリーブ
３９１    回転モータ
【図１】
2008526519.tif 000003
【図２】
2008526519.tif 000004
【図３】
2008526519.tif 000005
【図４】
2008526519.tif 000006
【図５】
2008526519.tif 000007
【図６】
2008526519.tif 000008
【図７】
2008526519.tif 000009
【図８】
2008526519.tif 000010
【図９】
2008526519.tif 000011
【国際調査報告】
2008526519.tif 000012
2008526519.tif 000013
2008526519.tif 000014
2008526519.tif 000015